【手続補正書】
【提出日】平成15年10月22日(2003.10.22)
【手続補正１】
【補正対象書類名】特許請求の範囲
【補正対象項目名】全文
【補正方法】変更
【補正の内容】
【特許請求の範囲】
【請求項１】
潤滑粘性のあるオイルおよび全体で約１重量％〜約５０重量％の共重合体を含有する潤滑油組成物であって、該共重合体は、以下の（Ａ）および（Ｂ）を含有する：
（Ａ）少なくとも１種のエチレン−脂肪族オレフィン共重合体であって、ここで、該脂肪族オレフィンは、３個〜約２４個の炭素原子を含有し、該共重合体（Ａ）は、約６００〜約５０００の範囲の
【化１】
2004525231.tif 000001
を有する；および
（Ｂ）以下から誘導した単位を含有する少なくとも１種の共重合体：
（ａ）そのエステル基中に約９個〜約２５個の炭素原子を含有するメタクリル酸アルキルエステルモノマーから誘導した単位を約３５モル％〜約９５モル％；および
（ｂ）そのエステル基中に約７個〜約１２個の炭素原子を含有するメタクリル酸アルキルエステルモノマーから誘導した単位を約６５モル％〜約５モル％であって、ここで、該メタクリル酸アルキルエステルモノマー（ｂ）の前記エステル基のアルキル部分が、２−（Ｃ１〜４アルキル）置換基を有する；および
（ｃ）必要に応じて、そのエステル基中に２個〜約８個の炭素原子を含有しかつメタクリル酸エステル（ａ）および（ｂ）とは異なるメタクリル酸アルキルエステルモノマー、ビニル芳香族モノマーおよび窒素含有ビニルモノマーからなる群の少なくとも１種の構成要素を約０．１モル％〜約２０モル％であるが、但し、該エステルの６０重量％以下は、そのエステル基中に１１個以下の炭素原子を含有し、該共重合体（Ｂ）は、約１０，０００〜約３５０，０００の範囲の
【化２】
2004525231.tif 000002
を有する；ここで、（Ａ）：（Ｂ）の重量比は、約９９：１〜約１：９９の範囲である；
ここで、該共重合体（Ｂ）は、さらに、（ｃ）そのエステル基中に２個〜約８個の炭素原子を含有しかつメタクリル酸エステル（ａ）および（ｂ）とは異なるメタクリル酸アルキルエステルモノマー、ビニル芳香族モノマーおよび窒素含有ビニルモノマーからなる群の少なくとも１種の構成要素から誘導される単位を約０．１モル％〜約２０モル％で含有するが、但し、該エステルの６０重量％以下は、そのエステル基中に１１個以下の炭素原子を含有する、
潤滑油組成物。
【請求項２】
前記モノマー（ｂ）が、メタクリル酸２−エチルヘキシルを含有する、請求項１に記載の潤滑油組成物。
【請求項３】
（Ａ）が、エチレン−α−オレフィン共重合体であり、ここで、該エチレン含量が、約３０モル％〜約８５モル％の範囲であり、そして（Ｂ）が、以下から誘導した単位を含有するポリメタクリル酸共重合体である、請求項１に記載の潤滑油組成物：
（ａ）そのエステル基中に約９個〜約２５個の炭素原子を含有するメタクリル酸アルキルエステルモノマーから誘導した単位を約３５モル％〜約９５モル％；および
（ｂ）そのエステル基中に約７個〜約１２個の炭素原子を含有するメタクリル酸アルキルエステルモノマーから誘導した単位を約６５モル％〜約５モル％；および必要に応じて、
（ｃ）そのエステル基中に２個〜約８個の炭素原子を含有しかつメタクリル酸エステル（ａ）および（ｂ）とは異なるメタクリル酸アルキルエステルモノマー、ビニル芳香族モノマーおよび窒素含有ビニルモノマーからなる群の少なくとも１種の構成要素を約０．２モル％〜約１０モル％であるが、但し、該エステルの６０重量％以下は、そのエステル基中に１１個以下の炭素原子を含有し、ここで、（Ａ）：（Ｂ）の重量比は、約２５：７５〜約７５：２５の範囲である、
潤滑油組成物。
【請求項４】
前記メタクリル酸アルキルモノマー（ｂ）の前記エステル基のアルキル部分が、２−（Ｃ１〜４アルキル）基を有し、ここで、（Ｂ）が、さらに、約０．１重量％〜約１０重量％の少なくとも１種の窒素含有ビニルモノマーから誘導した単位を含有する、請求項３に記載の潤滑油組成物。
【請求項５】
（Ｂ）が、遊離ラジカル開始剤の存在下にて、以下の（１）および（２）を反応させる工程を包含する方法により調製された共重合体である、請求項２に記載の潤滑油組成物：
（１）そのエステル基中に２個〜約２５個の炭素原子を含有する１種またはそれ以上のアクリル酸アルキルエステルモノマーを約５５重量％〜約９９．９重量％であって、ここで、該エステルの少なくとも約５０モル％は、該エステル基中に、少なくとも６個の炭素原子を含有する；および
（２）必要に応じて、連鎖移動剤の存在下で、そのエステル基中に２個〜約８個の炭素原子を含有しかつアクリル酸アルキルエステルモノマー（１）とは異なるアクリル酸エステル、ビニル芳香族モノマーおよび窒素含有ビニルモノマーからなる群から選択される少なくとも１種のモノマーを約０．１重量％〜約４５重量％であるが、但し、該エステルの６０重量％以下は、そのエステル基中に１１個以下の炭素原子を含有し、ここで、モノマー（１）、該遊離ラジカル開始剤および該連鎖移動剤（もし使用するなら）は、まず、混ぜ合わされて、混合物を形成し、それから、該混合物の約１０％〜約８０％は、モノマー（２）と混合されて、第二混合物を形成する；モノマー（１）および（２）の該混合物の約２０％〜約１００％は、発熱が認められるまで加熱され、次いで、反応温度を維持しつつ、約０．２５時間〜約５時間にわたって、モノマー（１）および（２）の該混合物の残量（もしあれば）を加え、続いて、０．２５時間〜約５時間にわたって、モノマー（１）および開始剤の残留混合物を添加し、必要に応じて、追加開始剤を加え、それから、該反応が完了まで継続される、
潤滑油組成物。
【請求項６】
モノマー（２）が、窒素含有ビニルモノマーを含有する、請求項５に記載の潤滑油組成物。
【請求項７】
（Ｂ）が、遊離ラジカル開始剤の存在下にて、以下の（ａ）、（ｂ）および（ｃ）を反応させる工程を包含する方法により調製される、請求項２に記載の潤滑油組成物：
（ａ）そのエステル基中に約１３個〜約２５個の炭素原子を含有するメタクリル酸エステル；および
（ｂ）そのエステル基中に７個〜約１２個の炭素原子を含有するメタクリル酸エステル；および
（ｃ）必要に応じて、連鎖移動剤の存在下で、そのエステル基中に２個〜約８個の炭素原子を含有しかつメタクリル酸エステル（ａ）および（ｂ）とは異なるメタクリル酸エステル、ビニル芳香族モノマーおよび窒素含有ビニルモノマーからなる群から選択される少なくとも１種のモノマーであるが、但し、該エステルの６０重量％以下は、そのエステル基中に１１個以下の炭素原子を含有し、ここで、モノマー（ａ）および（ｂ）、該遊離ラジカル開始剤および該連鎖移動剤（もし使用するなら）は、混ぜ合わされて、第一混合物を調製する；モノマー（ａ）および（ｂ）の該第一混合物の約１０重量％〜約８０重量％は、モノマー（ｃ）と混ぜ合わされて、第二混合物を調製する；該第二混合物の約２０％〜約１００％は、発熱が認められるまで加熱される；次いで、反応温度を維持しつつ、約０．２５時間〜約５時間にわたって、該第二混合物の残量（もしあれば）を加え、続いて、０．２５時間〜約５時間にわたって、残留第一混合物を添加し、必要に応じて、追加開始剤を加え、それから、該反応が完了まで継続される、
潤滑油組成物。
【請求項８】
さらに、流動点降下剤、腐食防止剤、極圧添加剤、耐摩耗添加剤、酸化防止剤、清浄剤、無灰分散剤、摩擦調整剤および消泡剤からなる群の少なくとも１種の構成要素を含有し、ここで、前記潤滑粘性のあるオイルが、１００℃で約４〜約１０センチストークスの範囲の動粘度を有する鉱油および合成油またはそれらの混合物からなる群から選択される少なくとも１種の構成要素を含有する、請求項１に記載の潤滑油組成物。
【請求項９】
主要量の潤滑粘性のあるオイルおよび全体で約３重量％〜約１０重量％の重合体組成物を含有する自動変速機油であって、該重合体組成物は、以下を含有する：
（Ａ）約１重量％〜約９９重量％の少なくとも１種のエチレン−脂肪族オレフィン共重合体であって、ここで、該脂肪族オレフィンは、３個〜約２４個の炭素原子を含有し、該共重合体（Ａ）は、約６００〜約５０００の範囲の数平均分子量を有する；および
（Ｂ）以下の単位を含有する少なくとも１種の共重合体を約９９重量％〜約１重量％：そのエステル基中に２個〜約２５個の炭素原子を含有するアクリル酸アルキルエステルモノマーから誘導した単位；および必要に応じて、ビニル芳香族モノマーおよび窒素含有ビニルモノマーからなる群の少なくとも１種の構成要素から誘導した単位を約０．１重量％〜約２０重量％：該共重合体（Ｂ）は、約１０，０００〜約３５０，０００の範囲の数平均分子量を有する；および
少量の少なくとも１種のジチオリン酸金属、シール膨潤剤、流動点降下剤、無灰分散剤および腐食防止剤。
【請求項１０】
主要量のＧｒｏｕｐ  ＩＩＩオイルおよび全体で約３重量％〜約３０重量％の重合体組成物を含有するギアオイル組成物であって、該重合体組成物は、以下を含有する：
（Ａ）約１重量％〜約９９重量％の少なくとも１種のエチレン−脂肪族オレフィン共重合体であって、ここで、該脂肪族オレフィンは、３個〜約２４個の炭素原子を含有し、該共重合体（Ａ）は、約６００〜約５０００の範囲の数平均分子量を有する；および
（Ｂ）以下の単位を含有する少なくとも１種の共重合体を約９９重量％〜約１重量％：そのエステル基中に２個〜約２５個の炭素原子を含有するアクリル酸アルキルエステルモノマーから誘導した単位；および必要に応じて、ビニル芳香族モノマーおよび窒素含有ビニルモノマーからなる群の少なくとも１種の構成要素から誘導した単位を約０．１重量％〜約２０重量％：該共重合体（Ｂ）は、約１０，０００〜約３５０，０００の範囲の数平均分子量を有する；および
少量の極圧添加剤、耐摩耗剤および腐食防止剤。